(57)【要約】【課題】本発明は、給湯機の使用者が変わる場合や給湯機が故障した場合に、データの初期化を自動的に効率よく実行し、利便性を向上させることを目的とする。【解決手段】貯湯式給湯機１は、貯湯タンク２、ヒートポンプユニット３、浴槽３０、制御部５０等を備える。制御部５０は、電圧低下検出部５１、計時部５２、データ保持部５３、停電時間演算部５４等を備える。制御部５０は、給湯機１への電力供給が停止してから再開された場合に、データ保持部５３に記憶されている記憶データのうち少なくとも一部の記憶データを初期化する必要性があるか否かを判定し、必要な場合には記憶データを初期化する。これにより、電源の遮断や停電からの復帰時には、給湯機の使用者等が手作業で複雑な操作を実行しなくても、必要なデータを効率よく初期化することができ、利便性を向上させることができる。【選択図】図２
2013242091.tif 000002
【特許請求の範囲】
【請求項１】
貯湯式給湯機の使用者により設定することが可能な設定情報及び／又は前記貯湯式給湯機の使用履歴情報を含む記憶データを記憶し、電力供給が停止された状態でも前記記憶データを保持することが可能な記憶手段と、
前記貯湯式給湯機に供給される電力が停止されたことを検出する電力状態検出手段と、
前記貯湯式給湯機への電力供給が停止してから再開された場合に、前記記憶データのうち少なくとも一部の記憶データを初期化する必要性があるか否かを判定する初期化必要性判定手段と、
前記初期化必要性判定手段の判定結果に基いて前記一部の記憶データを初期化する記憶データ初期化手段と、
を備えた貯湯式給湯機。
【請求項２】
前記電力状態検出手段により電力供給の停止を検出した場合に停止時刻を前記記憶手段に保持し、電力供給が再開された場合に前記停止時刻と現在の時刻とに基いて電力停止時間を算出する電力停止時間算出手段を備え、
前記初期化必要性判定手段は、前記電力停止時間算出手段により算出された前記電力停止時間の長さに基いて、前記記憶データの初期化の必要性を判定する構成としてなる請求項１に記載の貯湯式給湯機。
【請求項３】
前記初期化必要性判定手段は、前記記憶データの初期化が必要と推定される長い電力停止時間に応じて設定された判定値を有し、前記電力停止時間が前記判定値以上である場合に、前記記憶データの初期化が必要であると判定する構成としてなる請求項２に記載の貯湯式給湯機。
【請求項４】
前記初期化必要性判定手段は、前記貯湯式給湯機の作動状態が反映されたデータとして前記記憶手段に記憶された過去のエラー情報に基いて、前記記憶データの初期化の必要性を判定する構成としてなる請求項１に記載の貯湯式給湯機。
【請求項５】
前記電力状態検出手段により電力供給の停止を検出した場合に停止時刻を前記記憶手段に保持し、電力供給が再開された場合に前記停止時刻と現在の時刻とに基いて電力停止時間を算出する電力停止時間算出手段を備え、
前記初期化必要性判定手段は、前記電力停止時間算出手段により算出された前記電力停止時間の長さと、前記貯湯式給湯機の作動状態が反映されたデータとして前記記憶手段に記憶された過去のエラー情報との組合わせに基いて、前記記憶データの初期化の必要性を判定する構成としてなる請求項１に記載の貯湯式給湯機。
【請求項６】
前記初期化必要性判定手段は、前記記憶データの初期化を行う場合に、前記電力停止時間の長さと前記過去のエラー情報との組合わせに基いて、全記憶データのうちで初期化する部分を可変とする構成としてなる請求項５に記載の貯湯式給湯機。
【請求項７】
前記記憶手段に記憶された全ての記憶データのうち、前記記憶データ初期化手段により初期化する記憶データを選択する初期化データ選択手段を備えてなる請求項１乃至６のうち何れか１項に記載の貯湯式給湯機。
【請求項８】
前記記憶データ初期化手段により前記記憶データの初期化が行われたか否かの情報を表示する表示部を備えてなる請求項１乃至７のうち何れか１項に記載の貯湯式給湯機。
【発明の詳細な説明】
【技術分野】
【０００１】
本発明は、貯湯タンクを有する貯湯式給湯機に関し、特に、停電等に対処する機能を備えた貯湯式給湯機に関する。
【背景技術】
【０００２】
従来技術として、例えば特許文献１に記載されているように、停電等により電力の供給が停止した場合に、停電が生じた時刻を不揮発性記憶素子に記憶する機能を備えた貯湯式給湯機が知られている。
【先行技術文献】
【特許文献】
【０００３】
【特許文献１】特開２００８−８２５７４号公報
【発明の概要】
【発明が解決しようとする課題】
【０００４】
上述した従来の給湯機は、例えば集合住宅等のように使用者が変わる環境に設定される場合がある。給湯機の使用者が変わる場合には、不揮発性記憶素子に記憶保持されているデータを全て初期化するのが好ましい。しかしながら、従来の給湯機では、リモコン等により特殊な操作を行うことでデータを初期化できるものの、その初期化作業が複雑で手間がかかるという問題がある。特に、近年においては、給湯機の設定や使用履歴に関連した多数の個人的なデータが不揮発性記憶素子に記憶される傾向がある。これら全てのデータを見逃すことなく初期化するには、余分な注意力や面倒な確認作業等が必要となり、利便性に欠けるという問題がある。
【０００５】
本発明は、上述のような課題を解決するためになされたもので、給湯機の使用者が変わる場合や給湯機が故障した場合のように、不揮発性記憶素子の記憶データを初期化したい場合に、データの初期化を自動的に効率よく実行することができ、利便性を向上させることが可能な貯湯式給湯機を提供することを目的とする。
【課題を解決するための手段】
【０００６】
本発明に係る貯湯式給湯機は、貯湯式給湯機の使用者により設定することが可能な設定情報及び／又は貯湯式給湯機の使用履歴情報を含む記憶データを記憶し、電力供給が停止された状態でも記憶データを保持することが可能な記憶手段と、貯湯式給湯機に供給される電力が停止されたことを検出する電力状態検出手段と、貯湯式給湯機への電力供給が停止してから再開された場合に、記憶データのうち少なくとも一部の記憶データを初期化する必要性があるか否かを判定する初期化必要性判定手段と、初期化必要性判定手段の判定結果に基いて一部の記憶データを初期化する記憶データ初期化手段とを備えている。
【発明の効果】
【０００７】
本発明によれば、給湯機の使用者が変わる場合や給湯機が故障した場合のように、記憶手段の記憶データを初期化したい場合には、初期化の必要性の判定及び実際の初期化動作を自動的に行うことができる。これにより、電源の遮断や停電からの復帰時には、給湯機の使用者等が手作業で複雑な操作を実行しなくても、必要なデータを効率よく初期化することができ、利便性を向上させることができる。
【図面の簡単な説明】
【０００８】
【図１】本発明の実施の形態１において、貯湯式給湯機の構成を示す全体構成図である。
【図２】本発明の実施の形態１において、制御部により実行される制御を示すフローチャートである。
【図３】本発明の実施の形態２において、制御部により実行される制御を示すフローチャートである。
【図４】本発明の実施の形態３において、制御部により実行される制御を示すフローチャートである。
【図５】本発明の実施の形態４において、制御部により実行される制御を示すフローチャートである。
【発明を実施するための形態】
【０００９】
実施の形態１．
以下、図１及び図２を参照して、本発明の実施の形態１について説明する。なお、各図においては、共通する要素に同一の符号を付し、重複する説明を省略するものとする。図１は、本発明の実施の形態１において、貯湯式給湯機の構成を示す全体構成図である。本実施の形態による貯湯式給湯機１は、湯水を貯留する貯湯タンク２と、低温水を加熱して高温水を貯湯タンク２に供給するヒートポンプユニット３と、貯湯タンク２とヒートポンプユニット３とを接続して湯水の循環路を構成する加熱循環路４とを備えている。ヒートポンプユニット３は、外気の熱を利用して低温水を加熱するもので、冷凍サイクル等により構成され、加熱循環路４に湯水を循環させる循環ポンプ（図示せず）を搭載している。
【００１０】
給湯機の沸上げ運転時には、ヒートポンプユニット３及び循環ポンプが作動することにより、貯湯タンク２の下部から加熱循環路４に流出した低温水がヒートポンプユニット３により加熱されて高温水となり、この高温水は、加熱循環路４を介して貯湯タンク２の上部に戻される。また、貯湯タンク２には、タンク内の残湯量を検出するために、複数個の残湯サーミスタ５が上下方向の異なる位置に設けられている。ヒートポンプユニット３には、周囲の気温（外気温）を検出する外気温センサ６が設置されている。
【００１１】
一方、給湯配管７は、貯湯タンク２内に貯留された湯をふろ給湯用混合弁８と一般給湯用混合弁９に供給するもので、一端側が貯湯タンク２の上部に接続され、他端側がふろ給湯用混合弁８及び一般給湯用混合弁９にそれぞれ接続されている。給水配管１０は、水道管等の水源に接続されており、その途中には減圧弁１１が設けられている。減圧弁１１の流出側は、貯湯タンク２の下部、ふろ給湯用混合弁８及び一般給湯用混合弁９にそれぞれ接続され、これらの部位に減圧した水を供給するように構成されている。ふろ給湯用混合弁８には、後述の浴槽３０に混合湯を供給するふろ給湯配管１２が接続されており、ふろ給湯配管１２には、混合湯の供給及び停止を行うふろ給湯用電磁弁１３と、混合湯の流量を検出する給湯用流量センサ１４と、ふろ給湯用混合弁８の温度補正を行うためのふろ往き温度センサ１５とが設けられている。
【００１２】
また、貯湯式給湯機１は、浴槽水を加熱する熱交換器１６と、浴槽水が循環するふろ循環回路１７とを備えている。ふろ循環回路１７は、熱交換器１６と浴槽３０との間で浴槽水を循環させるもので、熱交換器１６の２次側に浴槽水を流入させるふろ往き配管１８と、熱交換器１６の２次側から流出した湯水を浴槽３０に戻すふろ戻り配管１９とにより構成されている。ふろ往き配管１８には、ふろ給湯配管１２が接続されている。また、ふろ戻り配管１９には、浴槽水を循環させるふろ循環ポンプ２０と、浴槽水の流動を検出するフロースイッチ２１と、浴槽３０の水位を検出する水位センサ２２とが設けられている。浴槽３０には、配管１８，１９が接続された浴槽アダプタ３２が設けられている。
【００１３】
一方、熱交換器１６は、タンク循環回路２３を介して貯湯タンク２の上部及び下部に接続されている。即ち、タンク循環回路２３は、熱交換器１６の１次流入側と貯湯タンク２の上部とを接続し、また、熱交換器１６の１次流出側と貯湯タンク２の下部とを接続している。タンク循環回路２３には、貯湯タンク２に貯留された湯水を熱交換器１６と貯湯タンク２との間に循環させる循環熱源ポンプ２４が設けられており、循環熱源ポンプ２４は、例えば熱交換器１６の１次流出側と貯湯タンク２の下部との間に配置されている。
【００１４】
給湯機の追焚き運転時には、ふろ循環ポンプ２０及び循環熱源ポンプ２４が作動することにより、まず、貯湯タンク２の上部からタンク循環回路２３に取出された高温水が熱交換器１６の１次側を経由して貯湯タンク２の下部に戻される。また、浴槽３０からふろ循環回路１７に取出された浴槽水が熱交換器１６の２次側を経由して浴槽３０に戻される。これにより、熱交換器１６は、貯湯タンク２から供給される高温水と浴槽水との間で熱交換を行い、浴槽水を加熱（追焚き）することができる。また、この状態でふろ循環回路１７やタンク循環回路２３の循環水量を調整すれば、浴槽水を一定の温度に保持する保温運転を行うことができる。さらに、貯湯式給湯機１は、一般給湯用混合弁９で生成される混合湯を台所等の蛇口に供給する一般給湯配管２５と、一般給湯配管２５を流れる湯水の温度を検出する給湯温度サーミスタ２６と、一般給湯配管２５を流れる湯水の流量を検出する給湯流量センサ２７とを備えている。
【００１５】
次に、貯湯式給湯機１に搭載された制御部５０について説明する。制御部５０は、例えばＲＯＭ、ＲＡＭ、不揮発性記憶素子等の記憶回路と、入出力ポートとを備えた演算処理装置により構成されている。制御部５０の入力側には、給湯機１に搭載された各種のセンサ（サーミスタを含む）が接続され、制御部５０の出力側には、給湯機１に搭載されたポンプ、弁等のアクチュエータが接続されている。これにより、制御部５０は、使用者の設定や運転環境等に応じて給湯機１の作動状態を制御する。
【００１６】
また、制御部５０は、給湯機１に供給される電力が電源の遮断や停電等により停止されたことを電圧低下情報として検出する電圧低下検出部５１と、現在時刻を計時する計時部５２と、不揮発性記憶素子等により構成されたデータ保持部５３と、給湯機への電力供給が再開された場合に電力停止時間を算出する停電時間演算部５４とを備えている。ここで、電圧低下検出部５１は、本実施の形態の電力状態検出手段を構成し、データ保持部５３は記憶手段を構成し、停電時間演算部５４は電力停止時間算出手段を構成している。
【００１７】
具体的に述べると、データ保持部５３に記憶された記憶データには、使用者により設定することが可能な給湯機の設定情報（例えば給湯温度、ふろ設定温度、ふろ設定湯量、沸上げ設定、インターホン音量、ふろ予約時刻、チャイルドロック設定）と、給湯機の使用履歴情報（例えば過去の使用湯量、過去の貯湯量）と、給湯機の過去の作動状態（作動不良の有無、種類、作動不良発生時の運転モード、発生回数、発生時刻等）が反映されたデータであるエラー情報とが含まれている。また、データ保持部５３は、例えば蓄電機能を有するバックアップ電源や、電力供給が停止された状態でも前記記憶データを保持することが可能な不揮発性記憶素子等を備えている。
【００１８】
また、停電時間演算部５４は、給湯機に対する電力供給の停止が検出された場合に、少なくとも前記電圧低下情報と電力の停止時刻とをデータ保持部５３に記憶させる。そして、電力供給が再開された場合に、データ保持部５３により保持されている電力の停止時刻と、計時部５２により得られる現在時刻とを比較することにより、電力が停止した状態で経過した時間（電力停止時間）を演算するように構成されている。また、制御部５０は、後述の図２に示すように、電力の供給が停止してから再開された場合に、前記記憶データのうち少なくとも一部の記憶データを初期化する必要性があるか否かを前記電力停止時間の長さに基いて判定し、当該判定結果に基いてデータの初期化を行う機能を備えている。
【００１９】
一方、貯湯式給湯機１は、無線等の手段により制御部５０とデータ通信を行うことが可能なリモートコントローラ（リモコン）６０を備えている。リモコン６０は、給湯機の使用者等により操作されるもので、操作内容に応じて浴槽３０の湯張り量及び湯張り温度、蛇口からの給湯温度の設定を行ったり、各種の運転動作やインターホンによる通話の起動及び停止を操作するものである。ここで、リモコン６０により操作される運転動作の一例には、浴槽３０への湯張り、差し湯及び差し水に加えて、追焚き運転、保温運転、沸上げ運転、凍結予防運転、除霜運転、洗浄運転等が含まれる。そして、これらの運転動作時に取得された各種の設定情報や運転履歴は、制御部５０に送信されてデータ保持部５３に記憶保持される。また、リモコン６０は、各種のデータを表示する表示部６２と、給湯機の設定操作及び運転操作を行うための操作部６４とを備えている。
【００２０】
本実施の形態による貯湯式給湯機は上述の如き構成を有するもので、次に、図２を参照しつつ、給湯機の動作の一部について説明する。図２は、本発明の実施の形態１において、制御部により実行される制御を示すフローチャートである。なお、この図に示すルーチンは、給湯機への電力供給が一旦停止した後に再開された場合の処理を示している。図２に示すルーチンでは、まず、ステップＳ１００において、データ保持部５３に電圧低下情報が記憶されているか否かを判定する。この判定が成立した場合には、電力供給が一旦停止した後に再開されたことを意味しているので、ステップＳ１０２に移行する。また、ステップＳ１００の判定が不成立の場合には、電力供給が停止された履歴がないので、後述のステップＳ１０８に移行する。
【００２１】
ステップＳ１０２では、停電時間演算部５４により電力停止時間を算出し、算出した電力停止時間が所定の判定値以上であるか否かを判定する。ここで、判定値は、記憶データの初期化が必要と推定される長い電力停止時間（例えば、１週間程度）に応じて設定される。即ち、ステップＳ１０２の判定が成立した場合には、給湯機への電力供給が１週間以上の長い時間にわたって停止されているので、例えば賃貸住宅において、使用者の転居等により給湯機の使用者が変わるものと推定される。この場合には、データ保持部５３の記憶データを初期化する必要性があると判断し、ステップＳ１０４に移行して記憶データを初期化する。そして、ステップＳ１０６では、初期化されたデータをデータ保持部５３から読込み、読込んだデータをリモコン６０の表示部６２に表示させる。この処理によれば、給湯機の使用者が変わった場合でも、前回の使用者が残した記憶データ（例えば、使用者の個人的な使用履歴情報である過去の使用湯量、過去の貯湯量、エラー情報等）が他人に見られることがないので、個人の情報を保護することができる。
【００２２】
一方、ステップＳ１０２の判定が不成立の場合には、電力停止時間が比較的短いので、給湯器のメンテナンス（点検、修理等）により電源が遮断されていたものと推定される。この場合には、使用者が変わるわけではないため、初期化の必要性がないと判断し、ステップＳ１０８において、データ保持部５３に記憶されている現在の記憶データを保持する。そして、ステップＳ１０６では、データ保持部５３から読込んだ現在の記憶データをリモコン６０の表示部６２に表示させる。この処理によれば、現在の記憶データを保持しておくことにより、使用者の利便性を向上させることができる。即ち、短時間の停電等が生じた場合でも、現在の記憶データが保持されているので、上述した各種の設定情報を再設定する手間が不要となる。また、給湯機の使用履歴情報を保持しておけば、使用者にとって効率の良い最適な沸上げ運転を容易に再現することができる。さらに、給湯機のエラー情報を保持しておけば、過去のエラー情報を利用して、給湯機がどのような動作モードでどの部品が故障していたのかを容易に故障診断することができる。
【００２３】
以上詳述した通り、本実施の形態によれば、給湯機の使用者が変わる場合のように、データ保持部５３の記憶データを初期化したい場合には、電力停止時間の長さに基いて初期化の必要性を自動的に判定することができる。これにより、電源の遮断や停電からの復帰時には、給湯機の使用者等が手作業で複雑な操作を実行しなくても、制御部５０の処理により必要なデータを効率よく初期化することができ、利便性を向上させることができる。
【００２４】
また、電力の供給が再開された場合には、記憶データを初期化したか否かの情報（初期化の有無）をリモコン６０の表示部６２に表示する構成としてもよい。この構成によれば、記憶データが初期化されたこと（または初期化されなかったこと）を給湯機の使用者に報知することができ、利便性をより高めることができる。
【００２５】
なお、前記実施の形態１では、図２中のステップＳ１０２が請求項１における初期化必要性判定手段の具体例を示すもので、ステップＳ１０４が記憶データ初期化手段の具体例を示すものである。
【００２６】
実施の形態２．
次に、図３を参照して、本発明の実施の形態２について説明する。本実施の形態は、前記実施の形態１とほぼ同様の構成（図１）において、過去のエラー情報に基いて記憶データの初期化の必要性を判定することを特徴としている。なお、本実施の形態では、実施の形態１と同一の構成要素に同一の符号を付し、その説明を省略するものとする。
【００２７】
図３は、本発明の実施の形態２において、制御部により実行される制御を示すフローチャートである。この図に示すルーチンは、給湯機への電力供給が一旦停止した後に再開された場合の処理を示している。図３に示すルーチンでは、まず、ステップＳ２００において、データ保持部５３に電圧低下情報が記憶されているか否かを判定する。この判定が成立した場合には、電力供給が一旦停止した後に再開されたことを意味しているので、ステップＳ２０２に移行する。また、ステップＳ２００の判定が不成立の場合には、電力供給が停止された履歴がないので、後述のステップＳ２０８に移行する。
【００２８】
ステップＳ２０２では、データ保持部５３に過去のエラー情報が記憶されているか否かを判定する。この判定が成立した場合には、給湯機の故障等が生じているので、データ保持部５３の記憶データを初期化する必要性があると判断し、ステップＳ２０４に移行して記憶データを初期化する。そして、ステップＳ２０６では、初期化されたデータをデータ保持部５３から読込み、読込んだデータをリモコン６０の表示部６２に表示させる。
【００２９】
一方、ステップＳ２０２の判定が不成立の場合には、給湯機が正常に作動しているので、初期化の必要性がないと判断し、ステップＳ２０８において、データ保持部５３に記憶されている現在の記憶データを保持する。そして、ステップＳ２０６では、データ保持部５３から読込んだ現在の記憶データをリモコン６０の表示部６２に表示させる。この処理によれば、現在の記憶データを保持しておくことにより、実施の形態１で述べたような作用効果を得ることができる。
【００３０】
以上詳述した通り、本実施の形態によれば、給湯機の故障等によりデータ保持部５３の記憶データを初期化したい場合には、給湯機１の作動状態（故障の有無）が反映されたデータとしてデータ保持部５３に記憶された過去のエラー情報に基いて、初期化の必要性を自動的に判定することができる。そして、初期化が必要な場合には、給湯機の使用者等が手作業で複雑な操作を実行しなくても、制御部５０の処理により必要なデータを効率よく初期化することができ、利便性を向上させることができる。
【００３１】
なお、前記実施の形態２では、図３中のステップＳ２０２が請求項４における初期化必要性判定手段の具体例を示すもので、ステップＳ２０４が記憶データ初期化手段の具体例を示すものである。
【００３２】
実施の形態３．
次に、図４を参照して、本発明の実施の形態３について説明する。本実施の形態は、前記実施の形態１とほぼ同様の構成（図１）において、初期化する記憶データを選択可能な構成としたことを特徴としている。なお、本実施の形態では、実施の形態１と同一の構成要素に同一の符号を付し、その説明を省略するものとする。
【００３３】
図４は、本発明の実施の形態３において、制御部により実行される制御を示すフローチャートである。なお、この図に示すルーチンは、給湯機への電力供給が一旦停止した後に再開された場合の処理を示している。図４に示すルーチンでは、まず、ステップＳ３００，３０２，３１０において、実施の形態１（図２）のステップＳ１００，１０２，１０８と同様の処理を実行する。
【００３４】
次に、ステップＳ３０４では、記憶データの初期化を行う場合において、例えば給湯機の使用者がリモコン６０の操作部６４を操作することにより、全記憶データのうち初期化するデータを選択する。具体的に述べると、給湯機の使用者は、前述した記憶データ（給湯温度、ふろ設定温度、ふろ設定湯量、沸き上げ設定、インターホン音量、ふろ予約時刻、チャイルドロック設定、過去の使用湯量、過去の貯湯量）、エラー情報（エラー発生履歴）及び時刻データのうち、初期化する記憶データを選択する。これにより、ステップＳ３０６では、使用者により選択された記憶データのみが初期化され、他の記憶データは現在（電力停止前）の値に保持される。そして、ステップＳ３０８では、データ保持部５３の記憶データを読込んでリモコン６０の表示部６２に表示させる。なお、リモコン６０の操作部６４は、本実施の形態における初期化データ選択手段を構成している。
【００３５】
このように構成される本実施の形態でも、前記実施の形態１とほぼ同様の作用効果を得ることができる。そして、特に本実施の形態では、記憶データの初期化が行われるときに、使用者の都合等に応じて初期化するデータと現状維持するデータとを使い分けることができ、利便性を更に高めることができる。なお、本実施の形態では、実施の形態１（図２）に対してステップＳ３０４の処理を追加する場合を例示したが、本発明はこれに限らず、実施の形態２（図３）に対してステップＳ３０４の処理を追加する構成としてもよい。
【００３６】
実施の形態４．
次に、図５を参照して、本発明の実施の形態４について説明する。本実施の形態は、前記実施の形態１とほぼ同様の構成（図１）において、電力停止時間の長さと過去のエラー情報との組合わせに基いて、初期化の必要性を判定することを特徴としている。なお、本実施の形態では、実施の形態１と同一の構成要素に同一の符号を付し、その説明を省略するものとする。
【００３７】
図５は、本発明の実施の形態４において、制御部により実行される制御を示すフローチャートである。なお、この図に示すルーチンは、給湯機への電力供給が一旦停止した後に再開された場合の処理を示している。図５に示すルーチンでは、まず、ステップＳ４００において、データ保持部５３に電圧低下情報が記憶されているか否かを判定する。この判定が成立した場合には、電力供給が一旦停止した後に再開されたことを意味しているので、ステップＳ４０２に移行する。また、ステップＳ４００の判定が不成立の場合には、電力供給が停止された履歴がないので、後述のステップＳ４１６に移行する。
【００３８】
ステップＳ４０２では、まず、停電時間演算部５４により電力停止時間を算出する。そして、電力停止時間が前記所定の判定値以上であり、かつ、データ保持部５３に過去のエラー情報が記憶されているか否かを判定する。即ち、本実施の形態では、電力停止時間の長さと過去のエラー情報との組合わせに基いて、初期化の必要性を判定する。ステップＳ４０２の判定が成立した場合には、賃貸住宅等において長期不使用により使用者が変わる場合が考えられる。この場合には、データ保持部５３の全記憶データを初期化してもよいが、過去のエラー情報が存在するので、ステップＳ４０４に示すように、給湯機のメンテナンスに関連した一部の記憶データを初期化せずに残す構成としてもよい。
【００３９】
具体的に述べると、ステップＳ４０４では、全記憶データのうち、給湯機のエラー情報及び当該エラー情報に関連した使用履歴情報（例えば、湯張りや追焚きの動作実績、各センサの入力情報や温度データなどの部品動作情報）については、給湯機の故障診断が容易となるように現在のデータを保持する。一方、給湯機の設定情報（給湯温度、ふろ設定温度、ふろ設定湯量、沸上げ設定、インターホン音量、ふろ予約時刻、チャイルドロック設定等）は初期化する。そして、ステップＳ４０６では、一部を初期化した後の記憶データをデータ保持部５３から読込み、読込んだデータをリモコン６０の表示部６２に表示させる。この処理によれば、給湯機の使用者が変わるときに故障等が存在する場合でも、個人情報を保護しつつ、故障診断に役立つデータは残しておくことができ、給湯機のメンテナンス性を向上させることができる。
【００４０】
一方、ステップＳ４０２の判定が不成立の場合には、ステップＳ４０８に移行し、電力停止時間が前記判定値以上であるか否かを判定する。この判定が成立した場合には、給湯機の使用者が変わる可能性があり、かつ、給湯機の故障等が予想される状態であるから、ステップＳ４１０に移行し、データ保持部５３の全記憶データを初期化する。また、ステップＳ４０８の判定が不成立の場合には、ステップＳ４１２に移行し、過去のエラー情報があるか否かを判定する。ステップＳ４１２の判定が成立した場合には、給湯機の使用者が変わる可能性が低く、かつ、給湯機の故障等が存在する状態と判断される。
【００４１】
この場合、ステップＳ４１４では、全記憶データのうち、給湯機の設定情報（給湯温度、ふろ設定温度、ふろ設定湯量、沸き上げ設定、インターホン音量、ふろ予約時刻、チャイルドロック設定）を現在の値に保持する。これに対し、エラー情報とエラー情報に関連する給湯機の使用履歴情報（例えば、湯張りや追焚きの動作実績、各センサからの温度データなどの入力情報や温度データなどの部品動作情報）については、初期化してもよい。この処理によれば、給湯機の状態や使用者の環境に応じて初期化するデータと現状維持するデータとを使い分けることができ、利便性を高めることができる。
【００４２】
また、ステップＳ４１２の判定が不成立の場合には、給湯機の使用者が変わる可能性が低く、かつ、給湯機の故障等が存在しない状態と判断される。この場合には、ステップＳ４１６において、データ保持部５３の全記憶データを現在の値に保持する。
【００４３】
このように構成される本実施の形態でも、前記実施の形態１とほぼ同様の作用効果を得ることができる。そして、特に本実施の形態では、電力停止時間の長さと過去のエラー情報との組合わせに基いて、初期化の必要性を判定するので、給湯機の状態や使用者の環境に応じて初期化の必要性をきめ細かく判定することができる。しかも、必要性の判定結果に応じて全記憶データのうち初期化する部分を可変とすることができ、より高い利便性を実現することができる。
【００４４】
なお、前記実施の形態４では、図５中のステップＳ４０２，４０８，４１２が請求項５，６における初期化必要性判定手段の具体例を示すもので、ステップＳ４０４，４１０，４１４が記憶データ初期化手段の具体例を示すものである。また、実施の形態４では、電力停止時間の長さと過去のエラー情報との組合わせに基いて初期化の必要性を判定し、かつ、判定結果に応じて全記憶データのうち初期化する部分を可変とする構成とした。しかし、本発明はこれに限らず、電力停止時間の長さと過去のエラー情報との組合わせに基いて初期化の必要性を判定する処理のみを実行し、初期化を行うときには、常に全記憶データを初期化する構成としてもよい。
【００４５】
また、本発明では、前記実施の形態３及び４を組合わせる構成としてもよい。即ち、電力停止時間の長さと過去のエラー情報との組合わせに基いて初期化の必要性を判定する構成において、使用者がリモコン６０の操作部６４等を操作することにより初期化する記憶データの種類を選択可能な構成としてもよい。
【符号の説明】
【００４６】
１  貯湯式給湯機
２  貯湯タンク
３  ヒートポンプユニット
４  加熱循環路
７  給湯配管
８  ふろ給湯用混合弁
９  一般給湯用混合弁
１０  給水配管
１２  ふろ給湯配管
１６  熱交換器
１７  ふろ循環回路
１８  ふろ往き配管
１９  ふろ戻り配管
２０  循環ポンプ
２３  タンク循環回路
２４  循環熱源ポンプ
２５  一般給湯配管
３０  浴槽
５０  制御部
５１  電圧低下検出部（電力状態検出手段）
５２  計時部
５３  データ保持部（記憶手段）
５４  停電時間演算部（電力停止時間算出手段）
６０  リモコン
６２  表示部
６４  操作部（初期化データ選択手段）
【図１】
2013242091.tif 000003
【図２】
2013242091.tif 000004
【図３】
2013242091.tif 000005
【図４】
2013242091.tif 000006
【図５】
2013242091.tif 000007